(57)【要約】【課題】電池の接続方向を判定する電池接続判定回路を低コストで提供する。【解決手段】本発明の電池接続判定回路は、電池の正極端子又は負極端子のいずれか一方が当接する第１接点ＴＰ１と、電池の正極端子又は負極端子の他方が当接する第２接点ＴＰ２と、第１接点ＴＰ１の電圧と第２接点ＴＰ２の電圧とを比較し、第１接点ＴＰ１の電圧が第２接点ＴＰ２の電圧より高いときに第１判定信号を出力し、第２接点ＴＰ２の電圧が第１接点ＴＰ１の電圧より高いときに第２判定信号を出力する比較回路３０と、を備える。【選択図】図１
2018153034.tif 000002
【特許請求の範囲】
【請求項１】
電池の正極端子又は負極端子のいずれか一方が当接する第１接点と、
前記電池の正極端子又は負極端子の他方が当接する第２接点と、
前記第１接点の電圧と前記第２接点の電圧とを比較し、前記第１接点の電圧が前記第２接点の電圧より高いときに第１判定信号を出力し、前記第２接点の電圧が前記第１接点の電圧より高いときに第２判定信号を出力する比較回路と、を備える電池接続判定回路。
【請求項２】
請求項１に記載の電池接続判定回路において、前記比較回路は、前記第１接点の電圧と前記第２接点の電圧とを比較し、前記第１接点の電圧が前記第２接点の電圧より高いときに前記第１判定信号を出力する第１比較器と、前記第１接点の電圧と前記第２接点の電圧とを比較し、前記第２接点の電圧が前記第１接点の電圧より高いときに前記第２判定信号を出力する第２比較器と、を含む、電池接続判定回路。
【請求項３】
請求項１又は２に記載の電池接続判定回路において、前記比較回路は、前記第１接点をプルダウンする抵抗及び前記第２接点をプルダウンする抵抗を含む、電池接続判定回路。
【請求項４】
請求項１〜３のいずれか１項に記載の電池接続判定回路と、
前記電池の充電電力を供給する電源装置と、
スイッチ回路と、
前記スイッチ回路を制御する制御装置と、を備え、
前記スイッチ回路は、前記電源装置の電圧出力端子と前記第１接点との接続をＯＮ／ＯＦＦする第１スイッチと、前記電源装置のグランド端子と前記第１接点との接続をＯＮ／ＯＦＦする第２スイッチと、前記電源装置の電圧出力端子と前記第２接点との接続をＯＮ／ＯＦＦする第３スイッチと、前記電源装置のグランド端子と前記第２接点との接続をＯＮ／ＯＦＦする第４スイッチと、を含み、
前記制御装置は、前記比較回路から前記第１判定信号が出力されているときには、前記第１スイッチ及び前記第４スイッチをＯＮ、前記第２スイッチ及び前記第３スイッチをＯＦＦし、前記比較回路から前記第２判定信号が出力されているときには、前記第１スイッチ及び前記第４スイッチをＯＦＦ、前記第２スイッチ及び前記第３スイッチをＯＮする、充電装置。
【請求項５】
請求項１〜３のいずれか１項に記載の電池接続判定回路と、
前記電池の電力で動作する負荷装置と、
スイッチ回路と、
前記スイッチ回路を制御する制御装置と、を備え、
前記スイッチ回路は、前記負荷装置の電圧入力端子と前記第１接点との接続をＯＮ／ＯＦＦする第１スイッチと、前記負荷装置のグランド端子と前記第１接点との接続をＯＮ／ＯＦＦする第２スイッチと、前記負荷装置の電圧入力端子と前記第２接点との接続をＯＮ／ＯＦＦする第３スイッチと、前記負荷装置のグランド端子と前記第２接点との接続をＯＮ／ＯＦＦする第４スイッチと、を含み、
前記制御装置は、前記比較回路から前記第１判定信号が出力されているときには、前記第１スイッチ及び前記第４スイッチをＯＮ、前記第２スイッチ及び前記第３スイッチをＯＦＦし、前記比較回路から前記第２判定信号が出力されているときには、前記第１スイッチ及び前記第４スイッチをＯＦＦ、前記第２スイッチ及び前記第３スイッチをＯＮする、電子機器。
【発明の詳細な説明】
【技術分野】
【０００１】
本発明は、電池の接続方向を判定する電池接続判定回路、該電池接続判定回路を備える充電装置、電子機器に関する。
【背景技術】
【０００２】
一般に円筒形の乾電池や二次電池は、様々な電子機器の電源として広く利用されている。また二次電池は、充電することで繰り返し使用することが可能であり、二次電池を充電する機器として充電装置が広く利用されている。このような電子機器又は充電装置に電池を装着する際には、電池の極性を確認する必要がある。つまり電池は、正極端子が当接すべき接点に正極端子が当接し、負極端子が当接すべき接点に負極端子が当接する正しい接続方向で、電子機器又は充電装置に装着する必要がある。
【０００３】
しかし電子機器及び充電装置は、接続方向が逆方向でも電池が装着可能な構成になっている場合が多いため、正しい接続方向とは逆の接続方向で電池が装着される可能性がある。そして正しい接続方向とは逆の接続方向で電池が装着されると、電子機器は動作しないことになり、また充電装置においては、電池の充電ができないことになるだけでなく、例えば電池の液漏れ等が生ずる虞もある。
【０００４】
このような課題を解決することを目的とする従来技術の一例としては、基準電源の電圧と電池の電圧とをコンパレータで比較して電池の接続方向を判定する回路を備え、逆接続が検出されたときに電池の充放電を停止する装置が公知である（例えば特許文献１、２を参照）。
【先行技術文献】
【特許文献】
【０００５】
【特許文献１】特開２００７−２０２３９６号公報
【特許文献２】特開２００９−１７７０３７号公報
【発明の概要】
【発明が解決しようとする課題】
【０００６】
しかしながら上記の従来技術は、基準電圧を生成する基準電源を設ける必要がある。つまり上記の従来技術は、基準電源を設ける複雑で大掛かりな構成であるため、それによって装置の大幅なコスト増を招来する虞がある。
【０００７】
このような状況に鑑み本発明はなされたものであり、その目的は、電池の接続方向を判定する電池接続判定回路を低コストで提供することにある。
【課題を解決するための手段】
【０００８】
＜本発明の第１の態様＞
本発明の第１の態様は、電池の正極端子又は負極端子のいずれか一方が当接する第１接点と、前記電池の正極端子又は負極端子の他方が当接する第２接点と、前記第１接点の電圧と前記第２接点の電圧とを比較し、前記第１接点の電圧が前記第２接点の電圧より高いときに第１判定信号を出力し、前記第２接点の電圧が前記第１接点の電圧より高いときに第２判定信号を出力する比較回路と、を備える電池接続判定回路である。
【０００９】
比較回路は、第１接点の電圧と第２接点の電圧とを比較し、第１接点の電圧の方が高い場合には第１判定信号を出力する。この場合、電池は、正極端子が第１接点に当接し、負極端子が第２接点に当接していることになる。他方、比較回路は、第２接点の電圧の方が高い場合には第２判定信号を出力する。この場合、電池は、正極端子が第２接点に当接し、負極端子が第１接点に当接していることになる。このように第１接点の電圧と第２接点の電圧とを比較して電池の接続方向を判定することによって、基準電圧を生成する基準電源を設ける必要がないので、シンプルな回路構成で電池の接続方向を判定することができる。
【００１０】
これにより本発明の第１の態様によれば、電池の接続方向を判定する電池接続判定回路を低コストで提供できるという作用効果が得られる。
【００１１】
＜本発明の第２の態様＞
本発明の第２の態様は、前述した本発明の第１の態様において、前記比較回路は、前記第１接点の電圧と前記第２接点の電圧とを比較し、前記第１接点の電圧が前記第２接点の電圧より高いときに前記第１判定信号を出力する第１比較器と、前記第１接点の電圧と前記第２接点の電圧とを比較し、前記第２接点の電圧が前記第１接点の電圧より高いときに前記第２判定信号を出力する第２比較器と、を含む、電池接続判定回路である。  
本発明の第２の態様によれば、このように２つの比較器を用いた極めてシンプルな構成の比較回路によって、電池の接続方向を判定する電池接続判定回路をさらに低コストで提供することができる。
【００１２】
＜本発明の第３の態様＞
本発明の第３の態様は、前述した本発明の第１の態様又は第２の態様において、前記比較回路は、前記第１接点をプルダウンする抵抗及び前記第２接点をプルダウンする抵抗を含む、電池接続判定回路である。  
本発明の第３の態様によれば、電池が装着されていない状態であるときに、第１接点及び第２接点の電位がグランド電位に維持されるので、比較回路の出力が不安定になる虞を低減することができる。
【００１３】
＜本発明の第４の態様＞
本発明の第４の態様は、前述した本発明の第１〜第３の態様のいずれかの電池接続判定回路と、前記電池の充電電力を供給する電源装置と、スイッチ回路と、前記スイッチ回路を制御する制御装置と、を備え、前記スイッチ回路は、前記電源装置の電圧出力端子と前記第１接点との接続をＯＮ／ＯＦＦする第１スイッチと、前記電源装置のグランド端子と前記第１接点との接続をＯＮ／ＯＦＦする第２スイッチと、前記電源装置の電圧出力端子と前記第２接点との接続をＯＮ／ＯＦＦする第３スイッチと、前記電源装置のグランド端子と前記第２接点との接続をＯＮ／ＯＦＦする第４スイッチと、を含み、前記制御装置は、前記比較回路から前記第１判定信号が出力されているときには、前記第１スイッチ及び前記第４スイッチをＯＮ、前記第２スイッチ及び前記第３スイッチをＯＦＦし、前記比較回路から前記第２判定信号が出力されているときには、前記第１スイッチ及び前記第４スイッチをＯＦＦ、前記第２スイッチ及び前記第３スイッチをＯＮする、充電装置である。
【００１４】
このように比較回路が出力する判定信号に応じてスイッチ回路の第１〜第４スイッチをそれぞれＯＮ／ＯＦＦすることによって、電池の接続方向にかかわらず、電池の正極端子は電源装置の電圧出力端子に接続され、電池の負極端子は電源装置のグランド端子に接続される。したがって本発明の第４の態様によれば、前述した本発明の第１〜第３の態様による作用効果に加えて、さらに電池の接続方向にかかわらず電池を充電できるという作用効果が得られる。
【００１５】
＜本発明の第５の態様＞
本発明の第５の態様は、前述した本発明の第１〜第３の態様のいずれかの電池接続判定回路と、前記電池の電力で動作する負荷装置と、スイッチ回路と、前記スイッチ回路を制御する制御装置と、を備え、前記スイッチ回路は、前記負荷装置の電圧入力端子と前記第１接点との接続をＯＮ／ＯＦＦする第１スイッチと、前記負荷装置のグランド端子と前記第１接点との接続をＯＮ／ＯＦＦする第２スイッチと、前記負荷装置の電圧入力端子と前記第２接点との接続をＯＮ／ＯＦＦする第３スイッチと、前記負荷装置のグランド端子と前記第２接点との接続をＯＮ／ＯＦＦする第４スイッチと、を含み、前記制御装置は、前記比較回路から前記第１判定信号が出力されているときには、前記第１スイッチ及び前記第４スイッチをＯＮ、前記第２スイッチ及び前記第３スイッチをＯＦＦし、前記比較回路から前記第２判定信号が出力されているときには、前記第１スイッチ及び前記第４スイッチをＯＦＦ、前記第２スイッチ及び前記第３スイッチをＯＮする、電子機器である。
【００１６】
このように比較回路が出力する判定信号に応じてスイッチ回路の第１〜第４スイッチをそれぞれＯＮ／ＯＦＦすることによって、電池の接続方向にかかわらず、電池の正極端子は負荷装置の電圧入力端子に接続され、電池の負極端子は負荷装置のグランド端子に接続される。したがって本発明の第５の態様によれば、前述した本発明の第１〜第３の態様による作用効果に加えて、さらに電池の接続方向にかかわらず電池の電力で電子機器を動作させることができるという作用効果が得られる。
【発明の効果】
【００１７】
本発明によれば、電池の接続方向を判定する電池接続判定回路を低コストで提供することができる。
【図面の簡単な説明】
【００１８】
【図１】本発明に係る充電装置の構成を図示した回路図。
【図２】電池の正極端子が第１接点に当接し、電池の負極端子が第２接点に当接している状態を図示した回路図。
【図３】電池の正極端子が第２接点に当接し、電池の負極端子が第１接点に当接している状態を図示した回路図。
【図４】第１比較器及び第２比較器の出力と第１〜第４スイッチのＯＮ／ＯＦＦとの関係を示した図。
【図５】本発明に係る電子機器の構成を図示した回路図。
【発明を実施するための形態】
【００１９】
以下、本発明の実施の形態について図面を参照しながら説明する。  
尚、本発明は、以下説明する実施例に特に限定されるものではなく、特許請求の範囲に記載された発明の範囲内で種々の変形が可能であることは言うまでもない。
【００２０】
＜第１実施例＞
本発明に係る電池接続判定回路を備える充電装置の実施例について、図１〜図４を参照しながら説明する。  
図１は、本発明に係る充電装置の構成を図示した回路図である。
【００２１】
本発明に係る充電装置は、ＤＣ−ＤＣコンバータ１０、電池装着部２０、比較回路３０、スイッチ回路４０、制御装置５０を備える。
【００２２】
ＤＣ−ＤＣコンバータ１０は、電池の充電電力を供給する「電源装置」であり、入力される直流電圧を電池の充電電圧に変換する定電圧定電流電源である。電池装着部２０は、電池が装着される部分であり、第１接点ＴＰ１及び第２接点ＴＰ２を含む。第１接点ＴＰ１は、電池装着部２０に装着された電池の正極端子又は負極端子のいずれか一方が当接する。第２接点ＴＰ２は、電池装着部２０に装着された電池の正極端子又は負極端子の他方が当接する。
【００２３】
比較回路３０は、第１接点ＴＰ１の電圧と第２接点ＴＰ２の電圧とを比較し、第１接点ＴＰ１の電圧が第２接点ＴＰ２の電圧より高いときに第１判定信号を出力し、第２接点ＴＰ２の電圧が第１接点ＴＰ１の電圧より高いときに第２判定信号を出力する回路である。比較回路３０は、第１比較器ＣＰ１、第２比較器ＣＰ２、抵抗Ｒ１、Ｒ２を含む。
【００２４】
第１比較器ＣＰ１及び第２比較器ＣＰ２は、その一例としてオペアンプで構成されている。第１比較器ＣＰ１は、非反転入力が第１接点ＴＰ１に接続され、反転入力が第２接点ＴＰ２に接続されている。第２比較器ＣＰ２は、非反転入力が第２接点ＴＰ２に接続され、反転入力が第１接点ＴＰ１に接続されている。第１比較器ＣＰ１及び第２比較器ＣＰ２の出力は、制御装置５０にそれぞれ接続されている。第１比較器ＣＰ１及び第２比較器ＣＰ２は、例えば専用のコンパレータＩＣ（Integrated Circuit）を用いてもよい。
【００２５】
抵抗Ｒ１は、第１接点ＴＰ１をプルダウンする抵抗であり、一端が第１接点ＴＰ１に接続され、他端がグランドに接続されている。抵抗Ｒ２は、第２接点ＴＰ２をプルダウンする抵抗であり、一端が第２接点ＴＰ２に接続され、他端がグランドに接続されている。このように第１接点ＴＰ１及び第２接点ＴＰ２をプルダウンすることによって、電池装着部２０に電池が装着されていない状態であるときに、第１接点ＴＰ１及び第２接点ＴＰ２の電位がグランド電位に維持されるので、比較回路３０の出力が不安定になる虞を低減することができる。
【００２６】
スイッチ回路４０は、制御装置５０によってＯＮ／ＯＦＦ制御される第１〜第４スイッチＳＷ１〜ＳＷ４を含む。第１スイッチＳＷ１は、一方の接点がＤＣ−ＤＣコンバータ１０の電圧出力端子Ｖｏｕｔに接続され、他方の接点が第１接点ＴＰ１に接続されている。第２スイッチＳＷ２は、一方の接点がＤＣ−ＤＣコンバータ１０のグランド端子ＧＮＤに接続され、他方の接点が第１接点ＴＰ１に接続されている。第３スイッチＳＷ３は、一方の接点がＤＣ−ＤＣコンバータ１０の電圧出力端子Ｖｏｕｔに接続され、他方の接点が第２接点ＴＰ２に接続されている。第４スイッチＳＷ４は、一方の接点がＤＣ−ＤＣコンバータ１０のグランド端子ＧＮＤに接続され、他方の接点が第２接点ＴＰ２に接続されている。
【００２７】
つまり第１スイッチＳＷ１は、ＤＣ−ＤＣコンバータ１０の電圧出力端子Ｖｏｕｔと第１接点ＴＰ１との接続をＯＮ／ＯＦＦするスイッチである。第２スイッチＳＷ２は、ＤＣ−ＤＣコンバータ１０のグランド端子ＧＮＤと第１接点ＴＰ１との接続をＯＮ／ＯＦＦするスイッチである。第３スイッチＳＷ３は、ＤＣ−ＤＣコンバータ１０の電圧出力端子Ｖｏｕｔと第２接点ＴＰ２との接続をＯＮ／ＯＦＦするスイッチである。第４スイッチＳＷ４は、ＤＣ−ＤＣコンバータ１０のグランド端子ＧＮＤと第２接点ＴＰ２との接続をＯＮ／ＯＦＦするスイッチである。
【００２８】
制御装置５０は、例えば公知のマイコン制御回路であり、図示していない充電状態検出回路が検出する電池装着部２０の電池の充電状態に基づいて、ＤＣ−ＤＣコンバータ１０を制御する。さらに制御装置５０は、第１比較器ＣＰ１及び第２比較器ＣＰ２の出力に基づいて、第１〜第４スイッチＳＷ１〜ＳＷ４のＯＮ／ＯＦＦを制御する。
【００２９】
図２及び図３は、本発明に係る充電装置の要部を拡大図示した回路図であり、電池装着部２０に電池２１を装着した状態を図示したものである。図２は、電池２１の正極端子が第１接点ＴＰ１に当接し、電池２１の負極端子が第２接点ＴＰ２に当接している状態を図示したものである。図３は、電池２１の正極端子が第２接点ＴＰ２に当接し、電池２１の負極端子が第１接点ＴＰ１に当接している状態を図示したものである。図４は、第１比較器ＣＰ１及び第２比較器ＣＰ２の出力と第１〜第４スイッチＳＷ１〜ＳＷ４のＯＮ／ＯＦＦとの関係を示した図である。
【００３０】
電池装着部２０に電池２１が装着されていない状態では、第１接点ＴＰ１及び第２接点ＴＰ２がプルダウンされているため、第１比較器ＣＰ１の非反転入力及び反転入力は、いずれもグランド電位になる。第２比較器ＣＰ２の非反転入力及び反転入力も同様に、いずれもグランド電位になる。したがって第１比較器ＣＰ１及び第２比較器ＣＰ２の出力電圧は、いずれもローレベル（Ｌ）になる。そして第１比較器ＣＰ１及び第２比較器ＣＰ２の出力電圧がいずれもローレベルであるときは、制御装置５０は、第１〜第４スイッチＳＷ１〜ＳＷ４を全てＯＦＦする。  
尚、通常はあり得ないが、第１比較器ＣＰ１及び第２比較器ＣＰ２の出力電圧がともにハイレベル（Ｈ）であるときは、制御装置５０は、何らかの異常が生じていると判定し、この場合も第１〜第４スイッチＳＷ１〜ＳＷ４を全てＯＦＦするのが好ましい。
【００３１】
電池２１の正極端子が第１接点ＴＰ１に当接し、電池２１の負極端子が第２接点ＴＰ２に当接している状態では（図２）、第１接点ＴＰ１の電圧が第２接点ＴＰ２の電圧より高い状態になる。この場合、第１比較器ＣＰ１は、非反転入力の電圧が反転入力の電圧より高くなるため、出力電圧がハイレベル（Ｈ）になる（第１判定信号）。他方、第２比較器ＣＰ２は、非反転入力の電圧が反転入力の電圧より低くなるため、出力電圧がローレベルになる。
【００３２】
第１比較器ＣＰ１の出力電圧がハイレベルであるときは、制御装置５０は、電池２１の正極端子が第１接点ＴＰ１に当接し、電池２１の負極端子が第２接点ＴＰ２に当接していると判定する（図２）。そして制御装置５０は、第１スイッチＳＷ１及び第４スイッチＳＷ４をＯＮし、第２スイッチＳＷ２及び第３スイッチＳＷ３をＯＦＦする。それによって電池２１の正極端子はＤＣ−ＤＣコンバータ１０の電圧出力端子Ｖｏｕｔに接続され、電池２１の負極端子はＤＣ−ＤＣコンバータ１０のグランド端子ＧＮＤに接続される。
【００３３】
他方、電池２１の正極端子が第２接点ＴＰ２に当接し、電池２１の負極端子が第１接点ＴＰ１に当接している状態では（図３）、第２接点ＴＰ２の電圧が第１接点ＴＰ１の電圧より高い状態になる。この場合、第１比較器ＣＰ１は、非反転入力の電圧が反転入力の電圧より低くなるため、出力電圧がローレベルになる。他方、第２比較器ＣＰ２は、非反転入力の電圧が反転入力の電圧より高くなるため、出力電圧がハイレベル（Ｈ）になる（第２判定信号）。
【００３４】
第２比較器ＣＰ２の出力電圧がハイレベルであるときは、制御装置５０は、電池２１の正極端子が第２接点ＴＰ２に当接し、電池２１の負極端子が第１接点ＴＰ１に当接していると判定する（図３）。そして制御装置５０は、第１スイッチＳＷ１及び第４スイッチＳＷ４をＯＦＦし、第２スイッチＳＷ２及び第３スイッチＳＷ３をＯＮする。それによって電池２１の正極端子はＤＣ−ＤＣコンバータ１０の電圧出力端子Ｖｏｕｔに接続され、電池２１の負極端子はＤＣ−ＤＣコンバータ１０のグランド端子ＧＮＤに接続される。
【００３５】
以上説明したように本発明に係る電池接続判定回路は、第１接点ＴＰ１の電圧と第２接点ＴＰ２の電圧とを比較して電池２１の接続方向を判定することによって、基準電圧を生成する基準電源を設ける必要がないので、シンプルな回路構成で電池２１の接続方向を判定することができる。したがって本発明によれば、電池２１の接続方向を判定する電池接続判定回路を低コストで提供することができる。
【００３６】
また本発明において比較回路３０は、上記説明した実施例のように、２つの比較器（第１比較器ＣＰ１、第２比較器ＣＰ２）を用いた極めてシンプルな構成とするのが好ましい。それによって電池２１の接続方向を判定する電池接続判定回路をさらに低コストで提供することができる。そして本発明に係る充電装置は、電池２１の接続方向にかかわらず、電池２１の正極端子はＤＣ−ＤＣコンバータ１０の電圧出力端子Ｖｏｕｔに接続され、電池２１の負極端子はＤＣ−ＤＣコンバータ１０のグランド端子ＧＮＤに接続されるので、電池２１の接続方向にかかわらず電池２１を充電することができる。
【００３７】
＜第２実施例＞
本発明に係る電池接続判定回路を備える電子機器の実施例について、図５を参照しながら説明する。  
図５は、本発明に係る電子機器の構成を図示した回路図である。
【００３８】
図５に図示した電子機器の実施例は、ＤＣ−ＤＣコンバータ１０に代えて負荷装置６０がスイッチ回路４０に接続されている点で、第１実施例（図１に図示した充電装置の実施例）と構成が異なる。それ以外の構成については、第１実施例と同じであるため、共通する構成要素には同一の符号を付して詳細な説明を省略する。
【００３９】
負荷装置６０は、電池装着部２０に装着された電池の電力で動作する。制御装置５０は、図示していない電池電圧検出回路が検出する電池装着部２０の電池の電圧に基づいて、負荷装置６０を制御する。
【００４０】
第１スイッチＳＷ１は、一方の接点が負荷装置６０の電圧入力端子Ｖｉｎに接続され、他方の接点が第１接点ＴＰ１に接続されている。第２スイッチＳＷ２は、一方の接点が負荷装置６０のグランド端子ＧＮＤに接続され、他方の接点が第１接点ＴＰ１に接続されている。第３スイッチＳＷ３は、一方の接点が負荷装置６０の電圧入力端子Ｖｉｎに接続され、他方の接点が第２接点ＴＰ２に接続されている。第４スイッチＳＷ４は、一方の接点が負荷装置６０のグランド端子ＧＮＤに接続され、他方の接点が第２接点ＴＰ２に接続されている。
【００４１】
つまり第１スイッチＳＷ１は、負荷装置６０の電圧入力端子Ｖｉｎと第１接点ＴＰ１との接続をＯＮ／ＯＦＦするスイッチである。第２スイッチＳＷ２は、負荷装置６０のグランド端子ＧＮＤと第１接点ＴＰ１との接続をＯＮ／ＯＦＦするスイッチである。第３スイッチＳＷ３は、負荷装置６０の電圧入力端子Ｖｉｎと第２接点ＴＰ２との接続をＯＮ／ＯＦＦするスイッチである。第４スイッチＳＷ４は、負荷装置６０のグランド端子ＧＮＤと第２接点ＴＰ２との接続をＯＮ／ＯＦＦするスイッチである。
【００４２】
第１比較器ＣＰ１の出力電圧がハイレベルであるときは、制御装置５０は、電池２１の正極端子が第１接点ＴＰ１に当接し、電池２１の負極端子が第２接点ＴＰ２に当接していると判定する（図２）。そして制御装置５０は、第１スイッチＳＷ１及び第４スイッチＳＷ４をＯＮし、第２スイッチＳＷ２及び第３スイッチＳＷ３をＯＦＦする。それによって電池２１の正極端子は負荷装置６０の電圧入力端子Ｖｉｎに接続され、電池２１の負極端子は負荷装置６０のグランド端子ＧＮＤに接続される。
【００４３】
第２比較器ＣＰ２の出力電圧がハイレベルであるときは、制御装置５０は、電池２１の正極端子が第２接点ＴＰ２に当接し、電池２１の負極端子が第１接点ＴＰ１に当接していると判定する（図３）。そして制御装置５０は、第１スイッチＳＷ１及び第４スイッチＳＷ４をＯＦＦし、第２スイッチＳＷ２及び第３スイッチＳＷ３をＯＮする。それによって電池２１の正極端子は負荷装置６０の電圧入力端子Ｖｉｎに接続され、電池２１の負極端子は負荷装置６０のグランド端子ＧＮＤに接続される。
【００４４】
このように本発明に係る電子機器は、電池２１の接続方向にかかわらず、電池２１の正極端子は負荷装置６０の電圧入力端子Ｖｉｎに接続され、電池２１の負極端子は負荷装置６０のグランド端子ＧＮＤに接続されるので、電池２１の接続方向にかかわらず電池２１の電力で負荷装置６０を動作させることができる。
【符号の説明】
【００４５】
１０  ＤＣ−ＤＣコンバータ
２０  電池装着部
３０  比較回路
４０  スイッチ回路
５０  制御装置
６０  負荷装置
ＣＰ１  第１比較器
ＣＰ２  第２比較器
ＳＷ１〜ＳＷ４  第１〜第４スイッチ
ＴＰ１  第１接点
ＴＰ２  第２接点
【図１】
2018153034.tif 000003
【図２】
2018153034.tif 000004
【図３】
2018153034.tif 000005
【図４】
2018153034.tif 000006
【図５】
2018153034.tif 000007